(57)【要約】【課題】  複数の光源の出力状態を正確に検出することができる光源装置及び画像投影装置を提供する。【解決手段】  光源装置２は、レーザ光を出射する複数の光源１１と、複数の光源１１から出射される光の一部を透過又は反射させる光学部材２１と、光学部材２１で透過又は反射される光が入射される光学系２２と、光学系２２から出射される光を検出する光検出部２３と、を備え、光学系２２は、入射される光の光強度を均一化して出射するインテグレータ光学系２２ｂ及び入射される光を拡散して出射する拡散光学系の、少なくとも一方を備える。【選択図】  図３
2015191004.tif 000002
【特許請求の範囲】
【請求項１】
レーザ光を出射する複数の光源と、
前記複数の光源から出射される光の一部を透過又は反射させる光学部材と、
前記光学部材で透過又は反射される光が入射される光学系と、
前記光学系から出射される光を検出する光検出部と、を備え、
前記光学系は、入射される光の光強度を均一化して出射するインテグレータ光学系及び入射される光を拡散して出射する拡散光学系の、少なくとも一方を備える光源装置。
【請求項２】
前記複数の光源から発散して出射される光が第１面に入射され、当該光を平行な光にして前記光学部材に向けて第２面から出射するコリメータ光学系を備え、
前記光学部材は、前記光学部材で反射される反射光が前記コリメータ光学系の前記第２面に入射するように、配置され、
前記光学系は、当該反射光が前記コリメータ光学系の前記第１面から前記光学系に向けて出射するように、配置される請求項１に記載の光源装置。
【請求項３】
前記光学系は、前記コリメータ光学系の前記第１面から出射される反射光が入射される入射部を備え、
前記入射部は、前記コリメータ光学系の前記第１面から出射される反射光の集光位置に配置される請求項２に記載の光源装置。
【請求項４】
前記光学部材は、前記光源から出射される光の一部を反射させるべく、光が入射される平面状の入射面を備えると共に、光学ガラスのみで形成され、
前記光学系は、前記光学部材で反射される反射光が入射されるように、配置される請求項１〜３の何れか１項に記載の光源装置。
【請求項５】
請求項１〜４の何れか１項に記載の光源装置を少なくとも一つ備え、
前記光学部材で透過及び反射される光のうち、一方は、前記光検出部で検出され、他方は、投射光として用いられる画像投影装置。
【発明の詳細な説明】
【技術分野】
【０００１】
本発明は、レーザ光を出射する複数の光源と、光を検出する光検出部とを備える光源装置に関する。また、本発明は、光源装置を備える画像投影装置に関する。
【背景技術】
【０００２】
従来、光源装置として、レーザ光を出射する光源と、光を検出する光検出部とを備える光源装置が、知られている（例えば、特許文献１）。斯かる光源装置によれば、光検出部が光源から出射されるレーザ光の一部を検出できるため、光源の出力状態を検出することができる。
【０００３】
ところで、特許文献１に係る光源装置においては、光検出部は、光源から出射されるレーザ光の光路上に配置され、基幹系（実際に装置として使用される系統）のレーザ光以外のレーザ光を検出しているため、光検出部の配置がフレキシブルに対応できない。したがって、光源を複数有する光源装置においては、１つや２つといった特定の光源の出力状態しか検出することができないため、光源全体としての出力状態を正確に検出することができない。
【先行技術文献】
【特許文献】
【０００４】
【特許文献１】特開２００３−２２８８６８号公報
【発明の概要】
【発明が解決しようとする課題】
【０００５】
よって、本発明は、斯かる事情に鑑み、複数の光源の出力状態を正確に検出することができる光源装置及び画像投影装置を提供することを課題とする。
【課題を解決するための手段】
【０００６】
本発明に係る光源装置は、レーザ光を出射する複数の光源と、前記複数の光源から出射される光の一部を透過又は反射させる光学部材と、前記光学部材で透過又は反射される光が入射される光学系と、前記光学系から出射される光を検出する光検出部と、を備え、前記光学系は、入射される光の光強度を均一化して出射するインテグレータ光学系及び入射される光を拡散して出射する拡散光学系の、少なくとも一方を備える。
【０００７】
本発明に係る光源装置によれば、光学部材は、光源から出射されたレーザ光の一部を透過又は反射する。そして、光学系は、光学部材で透過又は反射された光が入射される。その後、光検出部は、光学系から出射された光を検出する。
【０００８】
光学系は、入射される光の光強度を均一化して出射するインテグレータ光学系（又は／及び、入射される光を拡散して出射する拡散光学系）を備えるため、光検出部は、特定の光源から出射された光だけでなく、複数の光源から出射された光を包括的に検出することができる。したがって、複数の光源の出力状態を正確に検出することができる。
【０００９】
また、本発明に係る光源装置においては、前記複数の光源から発散して出射される光が第１面に入射され、当該光を平行な光にして前記光学部材に向けて第２面から出射するコリメータ光学系を備え、前記光学部材は、前記光学部材で反射される反射光が前記コリメータ光学系の前記第２面に入射するように、配置され、前記光学系は、当該反射光が前記コリメータ光学系の前記第１面から前記光学系に向けて出射するように、配置される、
という構成でもよい。
【００１０】
斯かる構成によれば、複数の光源から出射される発散光は、コリメータ光学系の第１面に入射され、コリメータ光学系の第２面から出射される光は、平行光となって、光学部材に向かう。光学部材が所定位置に配置されているため、光学部材で反射される反射光がコリメータ光学系の第２面に入射する。このとき、光学部材が平行光を反射しているため、コリメータ光学系の第２面に入射される反射光は、平行光である。
【００１１】
そして、光学系が所定位置に配置されているため、当該反射光は、コリメータ光学系の第１面から光学系に向けて出射する。このとき、コリメータ光学系の第２面に入射された反射光が平行光であるため、コリメータ光学系の第１面から出射される光は、収束光となる。これにより、コリメータ光学系は、光源から出射された発散光を平行にして光学部材へ出射する機能だけでなく、光学部材で反射された平行光を収束させて光学系へ出射する機能を併せ持つ。
【００１２】
また、本発明に係る光源装置においては、前記光学系は、前記コリメータ光学系の前記第１面から出射される反射光が入射される入射部を備え、前記入射部は、前記コリメータ光学系の前記第１面から出射される反射光の集光位置に配置される、という構成でもよい。
【００１３】
斯かる構成によれば、コリメータ光学系の第１面から出射される反射光が入射される光学系の入射部は、当該反射光の集光位置に配置されている。これにより、光検出部は、複数の光源から出射された光を、さらに包括的に検出することができるため、複数の光源の出力状態をさらに正確に検出することができる。
【００１４】
また、本発明に係る光源装置においては、前記光学部材は、前記光源から出射される光の一部を反射させるべく、光が入射される平面状の入射面を備えると共に、光学ガラスのみで形成され、前記光学系は、前記光学部材で反射される反射光が入射されるように、配置される、という構成でもよい。
【００１５】
斯かる構成によれば、光源から出射される光が光学部材の入射面で入射する際に、当該光の一部が光学部材の入射面で反射される。また、光学系が所定位置に配置されているため、光学部材で反射される反射光が光学系に入射される。
【００１６】
そして、光学部材が光学ガラスのみで形成され且つ光学部材の入射面が平面状に形成されているため、光の波長による反射率の誤差（光の波長に対する反射率のグラフにおけるリップル）を抑制することができる。したがって、使用状況や環境状況等の変化に伴って、複数の光源から出射されるレーザ光の波長が変化しても、複数の光源の出力状態を正確に検出することができる。
【００１７】
また、本発明に係る画像投影装置は、前記光源装置を少なくとも一つ備え、前記光学部材で透過及び反射される光のうち、一方は、前記光検出部で検出され、他方は、投射光として用いられる。
【発明の効果】
【００１８】
以上の如く、本発明は、複数の光源の出力状態を正確に検出することができるという優れた効果を奏する。
【図面の簡単な説明】
【００１９】
【図１】本発明の一実施形態に係る画像投影装置の全体概要図である。
【図２】同実施形態に係る光源装置の要部概要図であって、基幹系の光の状況を示した図である。
【図３】同実施形態に係る光源装置の要部概要図であって、検出光の状況を示した図である。
【図４】同実施形態に係る光学部材における入射角度に対する反射率の関係を示した図である。
【図５】本発明の他の実施形態に係る画像投影装置の全体概要図である。
【図６】同実施形態に係る光源装置の要部概要図である。
【図７】本発明のさらに他の実施形態に係る光源装置の要部概要図である。
【発明を実施するための形態】
【００２０】
＜第１実施形態＞
以下、本発明に係る光源装置及び画像投影装置における第１の実施形態について、図１〜図４を参酌して説明する。なお、各図（図５〜図７も同様）において、図面の寸法比と実際の寸法比とは、必ずしも一致していない。
【００２１】
図１に示すように、本実施形態に係る画像投影装置１は、それぞれ異なる色の光を出射する複数（本実施形態においては３つ）の光源装置２（２Ｒ，２Ｇ，２Ｂ）を備えている。また、画像投影装置１は、光源装置２から出射されたレーザ光を入射して光画像を生成する画像光学系６０と、画像光学系６０から出射された光画像を入射してスクリーン８０に投影する投影光学系（例えば、投影レンズ）７０とを備えている。
【００２２】
第１の光源装置２Ｒは、第１の色（例えば、赤色）の光を出射し、第２の光源装置２Ｇは、第２の色（例えば、緑色）の光を出射し、第３の光源装置２Ｂは、第３の色（例えば、青色）の光を出射する。即ち、複数の光源装置２Ｒ，２Ｇ，２Ｂは、それぞれ異なる波長の光を出射している。
【００２３】
画像光学系６０は、光源装置２から出射された光を変調することで光画像にする空間変調素子６０ａと、全反射プリズム６０ｂと、ダイクロイックプリズム６０ｃとを備えている。また、画像光学系６０は、第２の光源装置２Ｇから出射されたレーザ光を反射する反射ミラー６０ｄを備えている。本実施形態においては、各空間変調素子６０ａは、デジタルマイクロミラーデバイスとしている。なお、画像光学系６０は、透過型又は反射型液晶素子である空間変調素子６０ａを備える、という構成でもよい。
【００２４】
図２に示すように、光源装置２は、レーザ光を出射する複数（図２において５つ）の光源１１と、各光源１１から出射されたレーザ光が入射される複数（図２において５つ）の光ファイバ１２とを備えている。また、光源装置２は、光ファイバ１２から出射された光が入射されるコリメータ光学系１３と、コリメータ光学系１３から出射される光の一部を反射させる光学部材２１と、光学部材２１を透過した光が入射される収束レンズ１４を備えている。
【００２５】
そして、光源装置２は、収束レンズ１４から出射された光が入射されるロッドインテグレータ１５と、ロッドインテグレータ１５から出射された光が入射される結像レンズ１６とを備えている。さらに、光源装置２は、光学部材２１で反射された光が入射される光学系２２と、光学系２２から出射される光を検出する光検出部２３とを備えている。なお、図２において、１点鎖線は、光源１１から光学部材２１までの光を示し、２点鎖線は、光学部材２１を透過した光を示している。
【００２６】
各光源１１は、図示していないが、レーザ光を出射する半導体レーザを少なくとも一つ備えている。また、各光源１１は、必要に応じて、半導体レーザから出射されたレーザ光を光ファイバ１２に効率良く入射させるためのレンズを備えていてもよい。
【００２７】
複数の光ファイバ１２は、それぞれの出射面が面一となるように、配置されている。即ち、複数の光ファイバ１２の出射面は、同一平面上に、配置されている。例えば、複数の光ファイバ１２の出射面側は、束ねられた状態で保持部材（図示していない）に保持されている、所謂、バンドル構造である。
【００２８】
コリメータ光学系１３は、コリメータレンズから構成されている。複数の光源１１から出射されて光ファイバ１２を経由して発散する光は、コリメータ光学系１３の第１面１３ａに入射され、コリメータ光学系１３は、当該光を平行光にして、光学部材２１に向けて第２面１３ｂから出射する。
【００２９】
収束レンズ１４は、光学部材２１を透過した光を収束させて、ロッドインテグレータ１５に向けて出射する。そして、コリメータ光学系１３及び収束レンズ１４は、光ファイバ１２の出射面の像をロッドインテグレータ１５の入射面に結像させている。
【００３０】
ロッドインテグレータ１５は、出射面の照度を均一にすべく、入射される光の光強度を均一化して出射している。結像レンズ１６は、ロッドインテグレータ１５の出射面の像を画像光学系６０の空間変調素子６０ａの入射面に結像している。
【００３１】
図３に示すように、光学部材２１は、コリメータ光学系１３の第２面１３ｂから出射された光が入射される平面状の入射面２１ａを備えている。光学部材２１は、平板状に形成されている。そして、光学部材２１は、光学部材２１で反射される反射光がコリメータ光学系１３の第２面１３ｂに入射するように、配置されている。
【００３２】
本実施形態においては、光学部材２１は、光学ガラスのみで形成されている。なお、光学部材２１は、平板状の光学ガラスの入射面（又は／及び出射面）に誘電体多層膜（反射抑制コーティング）を施されて、入射される光の一部を反射（又は透過）する部材である、という構成でもよい。
【００３３】
光学系２２は、コリメータ光学系１３の第１面１３ａから出射される反射光が入射される入射部２２ａと、入射部２２ａから出射された反射光が入射されるインテグレータ光学系２２ｂとを備えている。本実施形態においては、入射部２２ａは、入射された反射光をインテグレータ光学系２２ｂに向けて反射する反射部材である。
【００３４】
図３において、１点鎖線は、光源１１から光学部材２１までの光を示し、２点鎖線は、光学部材２１を透過した光を示し、破線は、光学部材２１で反射された光を示している。光学部材２１で反射された平行な反射光は、コリメータ光学系１３の第２面１３ｂに入射され、コリメータ光学系１３は、当該反射光を第１面１３ａから収束させて出射している。
【００３５】
光学系２２は、コリメータ光学系１３の第１面１３ａから出射された反射光が光学系２２に向かうように、配置されている。具体的には、光学系２２の入射部２２ａは、コリメータ光学系１３の第１面１３ａから出射される反射光の集光位置に配置されている。
【００３６】
インテグレータ光学系２２ｂは、入射される光の光強度を均一化して、光検出部２３に向けて出射している。本実施形態においては、インテグレータ光学系２２ｂは、ロッドインテグレータから構成されている。なお、インテグレータ光学系２２ｂは、フライアイレンズから構成されてもよく、また、ロッドインテグレータ及びフライアイレンズの両方から構成されてもよい。
【００３７】
光検出部２３は、光量を測定する光センサである。本実施形態においては、光検出部２３は、光学系２２（インテグレータ光学系２２ｂ）から出射された光の一部を受光して、光量を測定している。なお、光検出部２３は、光学系２２から出射された光の全部を受光して、光量を測定する、という構成でもよい。
【００３８】
このように、光学部材２１を透過した光は、光源装置２から出射され、画像投影装置１の投射光（基幹系の光）として用いられる。また、光学部材２１で反射された光は、光検出部２３で検出され、複数の光源１１の出力状態を検出する検出光として用いられる。そして、制御部９０は、光検出部２３で検出した光量に基づいて、例えば、光源１１に供給する電力（電流、電圧）等により、光源１１の出力を制御する。
【００３９】
ここで、光学部材２１の材質について、説明する。
【００４０】
光学部材２１の反射率においては、光の波長による誤差（光の波長に対する反射率のグラフにおけるリップル）が存在する場合がある。例えば、平板状の光学ガラスの入射面に、誘電体多層膜（反射抑制コーティング）を施された光学部材においては、一般的に、基準となる反射率（例えば、０．５％）に対して、光の波長による±０．０５〜０．１５％（基準の反射率の１０％〜３０％）の誤差が存在する。
【００４１】
それに対して、平板状の光学ガラスのみで形成される光学部材２１においては、基準となる反射率（例えば、４％）に対して、光の波長による誤差が存在しない。したがって、光学部材２１は、光学ガラスのみで形成されている、という構成が好ましい。
【００４２】
また、光学部材２１は、コリメータ光学系１３から出射される光の光軸Ｌ１に対して入射面２１ａが傾斜して交差するように、配置されている。そこで、コリメータ光学系１３から出射される光が光学部材２１に入射する入射角θ１について、図４を参酌して、説明する。
【００４３】
図４に示すように、光学部材２１に対する光の入射角が異なることに伴って、光学部材２１の入射面２１ａでの反射率も異なっている。図４のグラフは、空気（屈折率：１）中から光学ガラス（屈折率：１．５）の光学部材２１に入射した光の反射率を、フレネルの式から求めたものである。図４において、実線Ｒ１は、Ｐ偏光の場合を示しており、破線Ｒ２は、Ｓ偏光の場合を示している。
【００４４】
例えば、４５°の入射角で光学部材２１に光が入射されると、反射光の殆どがＳ偏光となる。そして、入射角が０度（即ち、光学部材２１に対して垂直に入射する角度）に近づくほど、偏光による反射率の差は、小さくなる。具体的には、入射角が１０°以下であれば、偏光による反射率の差は、２０％以下になり、入射角が５°以下であれば、偏光による反射率の差は、殆どなくなる。
【００４５】
したがって、コリメータ光学系１３から出射される光（光軸Ｌ１）が光学部材２１に入射する入射角θ１は、１０°以下となることが好ましい。そして、コリメータ光学系１３から出射される光（光軸Ｌ１）が光学部材２１に入射する入射角θ１は、５°以下となることがさらに好ましい。
【００４６】
以上より、本実施形態に係る光源装置２によれば、光学部材２１は、光源１１から出射されたレーザ光の一部を反射する。そして、光学系２２は、光学部材２１で反射された光が入射される。その後、光検出部２３は、光学系２２から出射された光の一部を検出する。
【００４７】
光学系２２は、入射される光の光強度を均一化して出射するインテグレータ光学系２２ｂを備えるため、光検出部２３は、特定の光源１１から出射された光だけでなく、複数の光源１１から出射された光を包括的に検出することができる。したがって、複数の光源１１の出力状態を正確に検出することができる。
【００４８】
また、本実施形態に係る光源装置２によれば、複数の光源１１から出射される発散光は、光ファイバ１２を経由して、コリメータ光学系１３の第１面１３ａに入射され、コリメータ光学系１３の第２面１３ｂから出射される光は、平行光となって、光学部材２１に向かう。光学部材２１が所定位置に配置されているため、光学部材２１で反射される反射光がコリメータ光学系１３の第２面１３ｂに入射する。このとき、光学部材２１が平行光を反射しているため、コリメータ光学系１３の第２面１３ｂに入射される反射光は、平行光である。
【００４９】
そして、光学系２２が所定位置に配置されているため、当該反射光は、コリメータ光学系１３の第１面１３ａから光学系２２に向けて出射する。このとき、コリメータ光学系１３の第２面１３ｂに入射された反射光が平行光であるため、コリメータ光学系１３の第１面１３ａから出射される光は、収束光となる。これにより、コリメータ光学系１３は、光源１１から出射された光を平行にして光学部材２１へ出射する機能だけでなく、光学部材２１で反射された光を収束させて光学系２２へ出射する機能を併せ持つ。
【００５０】
また、本実施形態に係る光源装置２によれば、コリメータ光学系１３の第１面１３ａから出射される反射光が入射される光学系２２の入射部２２ａは、当該反射光の集光位置に配置されている。これにより、光検出部２３は、複数の光源１１から出射された光を、さらに包括的に検出することができるため、複数の光源１１の出力状態をさらに正確に検出することができる。
【００５１】
また、本実施形態に係る光源装置２によれば、光源１１から出射される光が光学部材２１の入射面２１ａで入射する際に、当該光の一部が光学部材２１の入射面２１ａで反射される。また、光学系２２が所定位置に配置されているため、光学部材２１で反射される反射光が光学系２２に入射される。
【００５２】
そして、光学部材２１が光学ガラスのみで形成され且つ光学部材２１の入射面２１ａが平面状に形成されているため、光の波長による反射率の誤差（光の波長に対する反射率のグラフにおけるリップル）を抑制することができる。したがって、使用状況や環境状況等の変化に伴って、複数の光源１１から出射されるレーザ光の波長が変化しても、複数の光源１１の出力状態を正確に検出することができる。
【００５３】
＜第２実施形態＞
次に、本発明に係る光源装置及び画像投影装置における第２の実施形態について、図５及び図６を参酌して説明する。なお、図５及び図６において、図１〜図４の符号と同一の符号を付した部分は、第１実施形態と同様の構成又は要素を表し、その説明は、繰り返さない。
【００５４】
図５に示すように、本実施形態に係る画像投影装置１は、異なる色（例えば、赤色、緑色、青色）の光を順番に繰り返して出射する光源装置２を備えている。また、画像投影装置１は、画像光学系６０と、投影光学系７０とを備えている。
【００５５】
本実施形態においては、空間変調素子６０ａは、光源装置２と同期させることで、各色の画像を形成している。なお、画像光学系６０は、当該光を色分離させて、複数の空間変調素子６０ａで各色の画像を形成した後、再び色合成する、という構成でもよい。斯かる構成においては、光源装置２は、異なる色の光を同時に出射してもよい。
【００５６】
図６に示すように、光源装置２は、各色（波長）ごとに、複数の光源１１と、複数の光ファイバ１２と、コリメータ光学系１３と、光学部材２１と、光学系２２と、光検出部２３とを備えている。なお、光源１１と、光ファイバ１２と、コリメータ光学系１３と、光学部材２１と、光学系２２とを有する構成は、光源部１０という。
【００５７】
複数（本実施形態においては３つ）の光源部１０は、それぞれ異なる色（波長）の光を出射する。第１の光源部１０Ｒは、第１の色（例えば、赤色）の光を出射し、第２の光源部１０Ｇは、第２の色（例えば、緑色）の光を出射し、第３の光源部１０Ｂは、第３の色（例えば、青色）の光を出射する。
【００５８】
そして、光源装置２は、収束レンズ１４と、ロッドインテグレータ１５と、結像レンズ１６とをそれぞれ一つずつ備えている。さらに、光源装置２は、複数の光源部１０から出射される光を合成して収束レンズ１４に入射する合成光学系１７を備えている。なお、合成光学系１７は、反射ミラー１７ａと、ダイクロイックミラー１７ｂとを備えている。
【００５９】
以上より、本実施形態に係る光源装置２によれば、複数の光源部１０に対して、収束レンズ１４と、ロッドインテグレータ１５と、結像レンズ１６とは、共通化されている。したがって、装置の簡素化を図ることができる。
【００６０】
なお、本発明は、上記した実施形態の構成に限定されるものではなく、また、上記した作用効果に限定されるものではない。また、本発明は、本発明の要旨を逸脱しない範囲内において種々変更を加え得ることは勿論である。例えば、上記した複数の実施形態の各構成や各方法等を任意に採用して組み合わせてもよく（１つの実施形態に係る各構成や各方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００６１】
上記実施形態に係る光源装置２においては、光学系２２は、光学部材２１で反射される光が入射され、光検出部２３は、光学系２２から出射される光を検出する、という構成である。しかしながら、本発明に係る光源装置は、斯かる構成に限られない。例えば、本発明に係る光源装置においては、図７に示すように、光学系２２は、光学部材２１を透過する光が入射され、光検出部２３は、光学系２２から出射される光を検出する、という構成でもよい。
【００６２】
斯かる構成によれば、光学部材２１を透過した光（図７において２点鎖線で示している）は、光検出部２３で検出され、複数の光源１１の出力状態を検出する検出光として用いられる。また、図７に係る構成においては、光学部材２１で反射された光（図７において破線で示している）は、光源装置２から出射され、画像投影装置１の投射光として用いられている。
【００６３】
また、上記実施形態に係る光源装置２においては、光学部材２１で反射された光は、コリメータ光学系１３を経由して、光学系２２に入射される、という構成である。しかしながら、本発明に係る光源装置は、斯かる構成に限られない。例えば、本発明に係る光源装置においては、光学部材２１で反射された光は、直接、光学系２２に入射される、という構成でもよい。
【００６４】
また、上記実施形態に係る光源装置２においては、光学系２２は、インテグレータ光学系２２ｂを備える、という構成である。しかしながら、本発明に係る光源装置は、斯かる構成に限られない。例えば、本発明に係る光源装置においては、光学系は、入射される光を拡散して出射する拡散光学系を備える、という構成でもよく、また、インテグレータ光学系２２ｂ及び拡散光学系の両方を備える、という構成でもよい。なお、拡散光学系は、拡散板から構成されている。
【００６５】
また、上記実施形態に係る光源装置２においては、コリメータ光学系１３は、一つのコリメータレンズからなる、という構成である。しかしながら、本発明に係る光源装置は、斯かる構成に限られない。例えば、本発明に係る光源装置においては、コリメータ光学系は、複数のレンズを備える、という構成でもよい。
【００６６】
斯かるコリメータ光学系においては、複数の光源１１から出射される光が入射され且つ光学部材２１で反射された反射光を光学系２２に向けて出射する第１面は、所定のレンズに備えられ、光源１１からの光を光学部材２１に向けて出射し且つ光学部材２１で反射される反射光が入射される第２面は、別のレンズに備えられている。
【００６７】
また、上記実施形態に係る光源装置２においては、光学部材２１は、平板状に形成される、という構成である。しかしながら、本発明に係る光源装置は、斯かる構成に限られない。例えば、本発明に係る光源装置においては、光学部材２１は、コリメータ光学系１３又は収束レンズ１４等と兼用する、即ち、コリメータ光学系１３又は収束レンズ１４等の入射面で反射した光が、光学系２２に入射される、という構成でもよい。
【符号の説明】
【００６８】
１…画像投影装置、２…光源装置、２Ｒ…第１の光源装置、２Ｇ…第２の光源装置、２Ｂ…第３の光源装置、１０…光源部、１０Ｒ…第１の光源部、１０Ｇ…第２の光源部、１０Ｂ…第３の光源部、１１…光源、１２…光ファイバ、１３…コリメータ光学系、１３ａ…第１面、１３ｂ…第２面、１４…収束レンズ、１５…ロッドインテグレータ、１６…結像レンズ、１７…合成光学系、１７ａ…反射ミラー、１７ｂ…ダイクロイックミラー、２１…光学部材、２１ａ…入射面、２２…光学系、２２ａ…入射部、２２ｂ…インテグレータ光学系、２３…光検出部、６０…画像光学系、６０ａ…空間変調素子、６０ｂ…全反射プリズム、６０ｃ…ダイクロイックプリズム、６０ｄ…反射ミラー、７０…投影光学系、８０…スクリーン、９０…制御部、Ｌ１…光軸、θ１…入射角
【図１】
2015191004.tif 000003
【図２】
2015191004.tif 000004
【図３】
2015191004.tif 000005
【図４】
2015191004.tif 000006
【図５】
2015191004.tif 000007
【図６】
2015191004.tif 000008
【図７】
2015191004.tif 000009